(57)【要約】【課題】画像送信側の装置から画像受信側の装置へと画像データを転送するシステムにおいて、付加情報を効率的に転送できるようにする。【解決手段】画像送信側であるコントローラ１００では、多重化部１３０が、ページ同期信号がオンの期間はページ画像データを、オフの期間は付加情報を、それぞれ画像データライン１４８に出力する。これを受け取る印刷装置２００では、多重分離制御部２３０が、画像データライン１４８から受け取ったデータのうち、ページ同期信号がオン期間のデータはページの画像データとして印字部２４０に振り分け、オフ期間のデータは付加情報として解析部２５０に振り分ける。解析部２５０は、付加情報中の各項目の情報を抽出し主制御部２１０に渡し、主制御部２１０はその付加情報を利用して各種の制御を実行する。【選択図】図１
2006172199.tif 000002
【特許請求の範囲】
【請求項１】
共通のページ同期信号に従って動作する画像供給側装置と印刷装置とを備え、ページ同期信号がオンレベルの期間に、画像供給側装置から印刷装置へと画像データラインを介してページの画像データを伝送して印刷させる画像形成システムにおいて、
画像供給側装置は、
印刷装置に対して送信するページの画像データを供給する画像供給部と、
印刷装置での処理制御のために用いられる第１の付加情報を供給する第１付加情報供給部と、
画像供給部の出力と第１付加情報供給部の出力とを時分割多重化して画像データラインを介して前記印刷装置へ出力する多重化部であって、ページ同期信号がオンレベルの期間は画像供給部から供給される画像データを、オフレベルの期間は第１付加情報供給部から供給される付加情報を、それぞれ画像データラインへ出力する多重化部と、
を備え、
印刷装置は、
画像データラインから入力されたデータのうち、ページ同期信号がオンレベルの期間のデータはページの画像データとして抽出し、オフレベルの期間のデータは第１の付加情報として抽出する多重分離部と、
多重分離部により抽出されたページの画像データに基づき印刷処理を実行する印刷処理部であって、抽出された第１の付加情報に従ってその印刷処理を制御する印刷処理部と、
を備える、
画像形成システム。
【請求項２】
前記第１の付加情報は、前記画像供給側装置と前記印刷装置との連携動作のためのハンドシェイク情報であることを特徴とする請求項１に記載の画像形成システム。
【請求項３】
前記第１の付加情報は、伝送されるページの画像データの属性を示す属性情報であることを特徴とする請求項１に記載の画像形成システム。
【請求項４】
前記第１の付加情報は、前記ページの画像データに対する誤り検出データであり、
前記印刷処理部は、
ページの画像を用紙に印刷する印刷部と、
前記印刷部に対し供給されるページの画像データに誤りがあるか否かを、前記誤り検出データに基づき判定する誤り判定部と、
を備える、
ことを特徴とする請求項１〜３のいずれか１項に記載の画像形成システム。
【請求項５】
前記印刷処理部は、
ページの画像を用紙に印刷する印刷部と、
用紙が備える非接触ＩＣタグに対して前記第１の付加情報を書き込む書込部と、
を備えることを特徴とする請求項１〜４のいずれか１項に記載の画像形成システム。
【請求項６】
前記印刷装置は、
前記画像供給側装置での処理制御のために用いられる第２の付加情報を供給する第２付加情報供給部と、
前記ページ同期信号がオフレベルの期間に、前記第２付加情報供給部から供給される第２の付加情報を前記画像データラインを介して前記画像供給側装置へ出力する出力制御部と、
を備え、
前記画像供給側装置は、
前記画像データラインから入力された第２の付加情報に従って、当該画像供給側装置の処理動作を制御する処理制御部、
を備える、
ことを特徴とする請求項１〜５のいずれか１項に記載の画像形成システム。
【請求項７】
前記第２の付加情報は、前記画像供給側装置と前記印刷装置との連携動作のためのハンドシェイク情報であることを特徴とする請求項６に記載の画像形成システム。
【請求項８】
印刷装置と共通のページ同期信号に従って動作すると共に、ページ同期信号がオンレベルの期間に印刷装置へと画像データラインを介してページの画像データを伝送して印刷させる画像供給側装置において、
印刷装置に対して送信するページの画像データを供給する画像供給部と、
印刷装置での処理制御のために用いられる第１の付加情報を供給する第１付加情報供給部と、
画像供給部の出力と第１付加情報供給部の出力とを時分割多重化して画像データラインを介して前記印刷装置へ出力する多重化部であって、ページ同期信号がオンレベルの期間は画像供給部から供給される画像データを、オフレベルの期間は第１付加情報供給部から供給される付加情報を、それぞれ画像データラインへ出力する多重化部と、
を備える画像供給側装置。
【請求項９】
画像供給側装置と共通のページ同期信号に従って動作すると共に、ページ同期信号がオンレベルの期間に画像供給側装置から画像データラインを介してページの画像データの供給を受けて印刷を実行する印刷装置において、
画像データラインから入力されたデータのうち、ページ同期信号がオンレベルの期間のデータはページの画像データとして抽出し、オフレベルの期間のデータは第１の付加情報として抽出する多重分離部と、
多重分離部により抽出されたページの画像データに基づき印刷処理を実行する印刷処理部であって、抽出された第１の付加情報に従ってその印刷処理を制御する印刷処理部と、
を備える印刷装置。
【請求項１０】
共通のページ同期信号に従って動作する画像供給側装置と印刷装置とを備え、ページ同期信号がオンレベルの期間に、画像供給側装置から印刷装置へと画像データラインを介してページの画像データを伝送して印刷させる画像形成システム、の制御方法であって、
ページ同期信号がオフレベルにある期間に、前記印刷装置が印刷処理の制御のために用いる付加情報を、前記画像データラインを介して前記画像供給側装置から前記画像印刷装置へ伝達することを特徴とする方法。
【発明の詳細な説明】
【技術分野】
【０００１】
本発明は、ページ同期信号がオンレベルの期間に画像供給側装置から印刷装置へと画像データラインを介してページの画像データを供給する画像形成システムに関する。
【背景技術】
【０００２】
例えば複写機や複合機などの画像形成装置は、画像データ伝送用のビデオインタフェースを備え、インタフェースを介して１つのライン毎に所定のタイミングで順次、画像データの送信または受信を実行する。画像データ送受信のためには、ラインの開始と終了を示すライン同期信号としての水平同期信号（ＬＳＹＮＣ）と、ページの開始と終了を示すページ同期信号としての垂直同期信号（ＰＳＹＮＣ）を画像データに併せて送受信し、送信側と受信側とで同期をとることが必要になる。
【０００３】
特許文献１には、画像データ受信装置から画像データ転送同期信号を画像データ転送装置へ供給し、画像データ転送装置が、この同期信号から再同期信号を生成し、この再同期信号と、これに同期させた画像データ信号とを、画像データ受信装置へと転送する画像データ転送の仕組みが開示されている。
【０００４】
特許文献２には、ライン同期信号やページ同期信号などの生成パラメータを、画像データに先行するヘッダ情報として、画像データラインを介して画像データ送信側から画像データ受信側へと供給し、画像データ受信側の装置は、そのヘッダ情報に基づきそれら同期信号を再生することで、送受信側間での同期的な画像伝送を実現する方式が開示されている。この方式は、送信側と受信側との間でページ同期やライン同期の信号を送る信号線が不要になるという利点を持つ。
【０００５】
【特許文献１】特許第２８４２２１０号明細書
【特許文献２】特開２００１−３４５９６４号公報
【発明の開示】
【発明が解決しようとする課題】
【０００６】
デジタルのページ印刷システムを考えた場合、近年の高級システムの中には、ホストコンピュータからの印刷指示に基づいて印刷用の画像データを生成するコントローラと、コントローラから供給される画像データを用紙に対して印刷する印刷装置と分けて構成されるものがある。この種の高級システムの場合、印刷装置側で比較的高度な制御を行うため、コントローラから印刷装置に対して単にページ画像データを転送するだけでなく、その他の制御情報の転送が必要になる。この種の制御情報としては、例えば、両面印刷やページ印刷順序の制御のために必要なページ番号や、印刷解像度の設定に用いる解像度情報などがある。また、コントローラと印刷装置との間の連携的な処理フロー制御のために、それぞれの装置がそれぞれどの処理段階にあるかを知らせるハンドシェイク情報なども、その種の制御情報となる。また、このような印刷装置の制御の複雑化に伴い、印刷されるページ画像データに誤りがないか確認できるようにすることが望まれており、この確認のために必要な情報を制御情報として転送する必要が出てくることも考えられる。
【０００７】
従来のシステムでは、この種の制御情報は、画像データ転送用の信号ラインや同期信号転送用の信号ラインとは別に設けられた信号ラインを介して伝送していた。
【０００８】
このように制御情報を個別に設けられた信号ラインで伝送する方式では、送信側及び受信側にその信号ライン専用のインタフェースが必要になり、装置が複雑化する。また、制御情報と、ページ画像データとの同期を確保するために特別な処理が必要であり、送信側及び受信側の装置の負担となっている。
【０００９】
特許文献２の方式は、同期信号と画像データとを同じデータラインで伝送できるが、その他の制御情報の伝送については考慮していない。
【課題を解決するための手段】
【００１０】
本発明に係る画像形成システムは、共通のページ同期信号に従って動作する画像供給側装置と印刷装置とを備え、ページ同期信号がオンレベルの期間に、画像供給側装置から印刷装置へと画像データラインを介してページの画像データを伝送して印刷させる画像形成システムにおいて、画像供給側装置は、印刷装置に対して送信するページの画像データを供給する画像供給部と、印刷装置での処理制御のために用いられる第１の付加情報を供給する第１付加情報供給部と、画像供給部の出力と第１付加情報供給部の出力とを時分割多重化して画像データラインを介して前記印刷装置へ出力する多重化部であって、ページ同期信号がオンレベルの期間は画像供給部から供給される画像データを、オフレベルの期間は第１付加情報供給部から供給される付加情報を、それぞれ画像データラインへ出力する多重化部と、を備え、印刷装置は、画像データラインから入力されたデータのうち、ページ同期信号がオンレベルの期間のデータはページの画像データとして抽出し、オフレベルの期間のデータは第１の付加情報として抽出する多重分離部と、多重分離部により抽出されたページの画像データに基づき印刷処理を実行する印刷処理部であって、抽出された第１の付加情報に従ってその印刷処理を制御する印刷処理部と、を備える。
【００１１】
また本発明に係る画像形成システムの制御方法は、共通のページ同期信号に従って動作する画像供給側装置と印刷装置とを備え、ページ同期信号がオンレベルの期間に、画像供給側装置から印刷装置へと画像データラインを介してページの画像データを伝送して印刷させる画像形成システム、の制御方法であって、ページ同期信号がオフレベルにある期間に、前記印刷装置が印刷処理の制御のために用いる付加情報を、前記画像データラインを介して前記画像供給側装置から前記画像印刷装置へ伝達することを特徴とする。
【発明を実施するための最良の形態】
【００１２】
以下、図面を参照して、本発明を実施するための最良の形態（以下「実施形態」と呼ぶ）について説明する。
【００１３】
図１は、本発明に係る画像伝送システムの一例を示す機能ブロック図である。ここでは、ホストコンピュータからの印刷指示に従って用紙に印刷を行うシステムを例にとっている。
【００１４】
このシステムは、コントローラ１００と印刷装置２００を含んでいる。
【００１５】
コントローラ１００は、ホストコンピュータから印刷データを取得し、このデータから、印刷装置２００が取り扱い可能な画像データ（例えばラスタ画像データ）を生成し、これを印刷装置２００へと供給する。印刷データがページ記述言語のデータであれば、コントローラ１００はそれを解釈して各ページの画像データを作成する。また、帳票等の定型印刷の場合、コントローラ１００は、定型書式のデータを有しており（このデータはシステムのオペレータから予め登録される）、ホストコンピュータから入力された印刷データ中の各データ値をその定型書式に当てはめて各ページの画像データを作成し、出力する。
【００１６】
コントローラ１００の以上のような機能は公知のものであり、図中にはこのような機能を担う手段として主制御部１１０を示している。
【００１７】
主制御部１１０は、典型的には、プロセッサやメモリなどからなるコンピュータとこれにより実行される制御プログラムにより構成され、場合によっては、その中で必要となる機能の一部、例えば画像処理等の機能は専用の演算回路として備えていてもよい。主制御部１１０は、上述のように各ページの画像データを生成するほか、印刷装置２００が処理を実行するに当たって利用する各種の付加情報を生成する。
【００１８】
このような付加情報には、例えば、ページ番号や用紙サイズ、印刷解像度情報といった印刷属性の情報、ページ画像データの準備が出来た旨を示す準備完了信号など印刷装置との間の連携動作のためのハンドシェイク情報、などがある。これらは、従来の印刷システムでもコントローラから印刷装置へと供給されていたものである。主制御部１１０は、ホストコンピュータからの指示などに基づき、従来公知の方法で、従来と同様その情報が必要になるタイミングで、そのような付加情報を生成する。また、主制御部１１０は、生成したページ画像データが正しく印刷されるかどうかを検査するための誤り検出データを、付加情報の１つとして生成する。この誤り検出データは、チェックサムやＣＲＣ（巡回冗長検査符号）等の手法により求める。例えば、１ページの画像データの各行の画素値のチェックサムを求め、この行ごとのチェックサムを１ページの全行にわたって加算したものを誤り検出データとするなどである。すなわち、近年の画像形成装置では、中間調（多階調）の画像をデジタルハーフトーン処理により二値の擬似中間調画像に変換し、これを印字部２４０に供給して印刷させるのであるが、この誤り検出データはこの二値画像に対して求めるようにすればよい。
【００１９】
コントローラ１００は、生成したページの画像データを印刷装置２００と連携して印刷するために、ビデオクロック、ライン同期信号、ページ同期信号といった同期信号を生成する。これら各同期信号は、同期信号生成部１２０により生成され、ビデオクロックライン１４２、ライン同期信号ライン１４４、ページ同期信号ライン１４６を介して印刷装置２００へと供給される。ビデオクロックは、画像データ転送の基本単位となるクロックであり、その１周期は例えば画像データにおける１画素分（或いは１画素の１つの色）のデータ（例えば１バイト）を送る期間などとなる。また、ライン同期信号は、ページ画像データの１ライン（行）のデータ期間を示す信号であり、印刷装置２００は、この信号がオンのレベルにある期間、画像データライン１４８から供給されるデータ信号を１ラインの画像データとして取得する。ページ同期信号は、１ページのデータ期間を示す信号であり、印刷装置２００は、この信号がオンのレベルにある期間、画像データライン１４８から供給されるデータ信号を１ページ分の画像データとして取得する。図２に、ライン同期信号とページ同期信号の関係を模式的に示す。このような同期信号は従来用いられているものと同じものであり、従来公知の方式により生成し、伝送すればよい。
【００２０】
さて、本実施形態では、主制御部１１０が生成したページの画像データと付加情報とが、多重化部１３０に入力され、この多重化部１３０がこれら両データを時分割多重化して画像データライン１４８へと出力する。この多重化は、同期信号生成部１２０が生成したページ同期信号に基づき行われる。すなわち、多重化部１３０は、図２のタイムチャートに示すように、ページ同期信号がオンレベル（アクティブ）にある期間は、主制御部１１０から供給される１ページの画像データを、ビデオクロックやライン同期信号に従って順に画像データライン１４８に出力し、ページ同期信号がオフレベル（インアクティブ）にある期間は、主制御部１１０から供給される付加情報を画像データライン１４８に出力する。
【００２１】
なお、ページ同期信号のオフレベル期間ごとに、上に例示した付加情報を全て転送するわけではない。例えば、解像度情報は、例えば１つの印刷ジョブを開始する時点で送ればよく、ハンドシェイクのためのページの画像データの生成完了を示す信号は、その完了の時点で送ればよい。このように、上に例示した各種の付加情報は、従来からコントローラ１００にて生成し、専用のデータ通信ラインを用いて伝送していたので、従来と同様の処理によりそれら各種の付加情報を必要なタイミングで生成し、ページ同期信号のオフレベル期間のうちそのタイミングに近い期間にその生成した付加情報を画像データライン１４８に出力するようにすればよい。なお、ページ画像データについての誤り検出データは、一般にはページ画像データを生成した後でないと求めることが出来ないので、そのページ画像データを転送した次のオフレベル期間に転送するようにすればよい。オフレベル期間に付加情報を送る場合は、その先頭に付加情報である旨を示す所定パターンのビット列を送り、その後にページ番号、解像度、誤り検出データなどといった個々の付加情報の項目のデータを送る。付加情報の各項目には、それぞれその項目を識別するためのヘッダ等を付加し、印刷装置２００がそれら各項目を識別できるようにする。
【００２２】
以上、コントローラ１００について説明した。次に印刷装置２００について説明する。
【００２３】
印刷装置２００は、コントローラ１００から供給される各ページの画像データを、ビデオクロック、ライン同期信号及びページ同期信号に従って用紙に印刷していく。
【００２４】
印刷装置２００の主制御部２１０は、印刷装置２００全体を制御する装置であり、典型的には、プロセッサやメモリなどからなるコンピュータとこれにより実行される制御プログラムにより構成され、場合によっては、その中で必要となる機能の一部、例えば画像処理等の機能は専用の演算回路として備えていてもよい。主制御部２１０は、コントローラ１００から供給されるビデオクロック、ライン同期信号及びページ同期信号を受け取り、これらに従って印刷装置２００内の各手段を制御する。
【００２５】
バッファ２２０は、多重分離制御部２３０による多重分離処理とのタイミング合わせのために、画像データライン１４８を介して入力されるデータを一時的に保管する先入れ先出し方式のメモリである。多重分離制御部２３０は、ページ同期信号ライン１４６から入力されるページ同期信号に従ってバッファ２２０の出力データの出力先を、印字部２４０と解析部２５０との間で振り分ける。すなわち、ページ同期信号がオンレベルにある間は、バッファ２２０の出力を印字部２４０の側に与え、オフレベルにある間は、バッファ２２０の出力を解析部２５０に与えるよう、切替を行う。このような切替により、印字部２４０は、従来通りのタイミングで必要なページの画像データを取得することができ、印刷を実行できる。一方解析部２５０は、オフレベル期間に画像データライン１４８を介して送られてくる付加情報を受け取り、この付加情報の中から各項目のデータを識別して抽出し、主制御部２１０に送る。主制御部２１０は、受け取ったこれら付加情報の各項目に応じた処理を行う。印刷属性情報やハンドシェイク情報などの場合は、従来専用のデータ通信ラインを介してこれらの情報を受け取っていた場合の処理と同様の処理を行えばよい。誤り検出データの利用の仕方は、以下にて図３を参照して説明する。
【００２６】
図３に示す例では、ＲＦＩＤ(Radio Frequency IDentification)タグなどの非接触ＩＣタグ３１０を漉き込みや貼付等の形で備える用紙３００を用いる場合を示している。印刷装置２００は、用紙搬送路２４８上のタグライタ２５０とタグリーダ２６０を備える。タグライタ２５０は、感光体２４６や現像部、転写部、定着部（図示省略）などからなる印字機構よりも上流、例えば給紙トレイの出口近傍など、に設けられ、付加情報として取得した誤り検出データを主制御部２１０の制御に従って用紙３００の非接触ＩＣタグ３１０に書き込む。用紙３００の非接触ＩＣタグ３１０には、その用紙３００に印刷されるページの画像データに対応した誤り検出データを書き込む必要があるので、コントローラ１００からの誤り検出データの送出タイミングと、タグライタ２５０の位置とは、その必要条件を満足する範囲で設定する。例えば、ページの画像データがコントローラ１００から到来した後でそのページ対する用紙を給紙トレイから給紙する構成であれば、給紙トレイの出口近傍にタグライタ２５０を設けておけばよいことになる。
【００２７】
さて、このようにして給紙され、対応する誤り検出データが非接触ＩＣタグ３１０に書き込まれた用紙３００は、感光体２４６を含む印字機構により、対応するページ画像データの印字を受ける。ここでは、印字部２４０中の印字制御部２４２が、バッファ２２０から与えられたページ画像データをもとにオン・オフパターンの二値のレーザ駆動信号を生成し、この駆動信号によりレーザダイオード（ＬＤ）２４４を駆動して感光体２４６をページ画像のパターンで感光させる。この結果感光体２４６上に出来た現像がトナーにより現像され、用紙３００に転写され、定着される。
【００２８】
本実施形態では、このときＬＤ２４４に供給されるレーザ駆動信号を、主制御部２１０にも供給する。主制御部２１０は、１ページ分のレーザ駆動信号のオン・オフパターンに対し、コントローラ１００がページ画像データの誤り検出データを生成するのに用いるのと同じアルゴリズムを適用することにより、実際に当該ページの印刷に用いられた画像に対応する誤り検出データを求める。そして、主制御部２１０は、感光体２４６の下流に設けられたタグリーダ２６０により、用紙３００の非接触ＩＣタグ３１０から誤り検出データを読み取り、これをレーザ駆動信号から求めた誤り検出データと比較する。両者が一致していれば、主制御部２１０は、用紙３００に対して正しいページ画像データが印刷されたものとして、印刷済みのその用紙３００が正常紙トレイ２８２に排紙されるよう、排紙先切り替え部２７０を切り替える。一方、それら両者が一致しなかった場合は、排紙切り替え部２７０の切替により、その用紙を異常紙トレイ２８４に排紙する。
【００２９】
このように、図３の構成によれば、付加情報としてコントローラ１００から印刷装置２００へと提供した誤り検出データにより、レーザ駆動信号の段階までではあるが、用紙３００に印刷されるべき正しいページの印刷処理がなされているか否かを判定できる。したがって、印刷装置２００側で印刷するページの順序が入れ違ったり、或いは印刷装置２００側での画像処理や信号処理などでページの画像が変化してしまったりするなどのエラーを検知することが出来る。
【００３０】
また、図３の例では、コントローラ１００から供給された誤り検出データを、用紙３００の非接触ＩＣタグ３１０に書き込むので、用紙３００とそこに印刷されるべき画像の誤り検出データとの対応付けの管理が容易になる。
【００３１】
以上では、誤り検出情報を用いた印刷エラー検出結果に応じて、印刷済み用紙の排紙先を切り替えたが、これはあくまで一例である。この他にも、例えば印刷エラーを検出したときに印刷装置２００の印刷動作を停止するというような制御も可能である。
【００３２】
ここでは、電子写真方式の印字部を例にとって説明したが、このような印刷エラーチェックの機構は、インクジェット方式など他の形式の印字部にも適用可能である。
【００３３】
また、以上の例では、非接触ＩＣタグ３１０に誤り検出情報を書き込んだが、この他にも、付加情報であるページ番号の情報をライタ２５０から書き込むとともに、対応する用紙に印刷する時のレーザ駆動信号の示す画像や、印刷後の用紙３００を読み取った画像からページ番号を検出し、これをリーダ２６０で読み取ったページ番号とつき合わせることで、ページ順序が正しく印刷されているかどうかを判定することも出来る。
【００３４】
また付加情報である用紙サイズの情報を給紙トレイ出口近傍等に設けたタグライタにより非接触ＩＣタグ３１０に書き込んでおき、用紙搬送路２４８上にある用紙サイズセンサで検出した実際の用紙サイズと、非接触ＩＣタグ３１０から読み出した用紙サイズとが一致しているかを判定する構成とすることも好適である。こうすることにより、例えば給紙トレイ上に誤ったサイズの用紙が紛れ込んでいた場合などに、それを検出することが出来る。
【００３５】
また、タグリーダ２６０を書き込みも可能なリーダ・ライタに置き換え、誤り検出結果などを非接触ＩＣタグ３１０に書き込むようにすれば、印刷済み用紙のタグ３１０からその結果を読み取れるようにすれば、排紙先切り替え部２７０が誤動作した場合でも、後で誤った印刷結果を見つけ出すことが出来る。
【００３６】
以上説明したように、本実施形態では、従来使用していなかったページ同期信号がオフ期間にある間の画像データライン１４８の伝送容量を有効利用して、ページの画像データや同期信号を除く、各種の付加情報を転送することができ、付加情報転送のための別個の通信ラインを不要となるなどのメリットがある。また、従来のコントローラ１００と印刷装置２００との間でやりとりしていない情報をやりとりする要求が出てきた場合、従来システムならばそのためのインタフェースをコントローラ１００及び印刷装置２００に設ける必要があったが、本実施形態の構成では、そのような場合にもハードウエア構成を変えることなく対応できる。
【００３７】
以上では、コントローラ１００から印刷装置２００へ付加情報を提供する場合について説明したが、画像データライン１４８を半二重方式などで双方向に通信可能なものとすれば、ページ同期信号がオフレベルにある期間に、印刷装置２００からコントローラ１００に対し、従来専用のデータ通信ラインで送っていた付加情報を送るようにすることも出来る。このような付加情報としては、ウォームアップの完了や、次のページの画像データの送信要求などといった、印刷処理のフロー制御のためのハンドシェイク情報などが挙げられる。
【００３８】
以上説明したのは、コントローラ１００から印刷装置２００へと各種同期信号を供給するシステム構成であったが、特許文献１のように印刷装置がビデオクロック等の同期信号を生成してコントローラに提供し、コントローラがそのビデオクロックを元に再同期信号を生成して制御を行うようなシステム構成についても、本実施形態の方式は適用可能である。
【００３９】
また、以上では、コントローラ１００が画像データや付加情報を生成して印刷装置２００に提供するシステム構成であったが、このようなコントローラ１００を、特許文献１や２に示されるようなプリンタインタフェース部に置き換えたシステム構成にも、上記実施形態の方式は適用可能である。すなわち、この場合は、プリンタインタフェース部は、ページの画像データや付加情報を上位装置から受け取ってバッファメモリに一時的に蓄え、印刷装置２００と同期してこれらを多重化し、画像データライン１４８を介して印刷装置２００に提供するわけである。したがって、プリンタインタフェース部の内部で見れば、バッファメモリがページ画像データや付加情報の供給源となる。
【図面の簡単な説明】
【００４０】
【図１】本発明に係るシステムの構成例を示すブロック図である。
【図２】同期信号と画像データライン上の信号との関係を示す図である。
【図３】印刷装置での誤り検出データを用いた印刷チェックのための構成の一例を示す図である。
【符号の説明】
【００４１】
１００  コントローラ、１１０  主制御部、１２０  同期信号生成部、１３０  多重化部、１４２  ビデオクロックライン、１４４  ライン同期信号ライン、１４６  ページ同期信号ライン、１４８  画像データライン、２００  印刷装置、２１０  主制御部、２２０  バッファ、２３０  多重分離制御部、２４０  印字部、２５０  解析部。
【図１】
2006172199.tif 000003
【図２】
2006172199.tif 000004
【図３】
2006172199.tif 000005